(57)【要約】      （修正有）【課題】液体を霧化して噴霧することができ、且つ液体を運ぶ水管に対して取り付けが簡単な噴霧装置を提供する。【解決手段】クリップ本体部４１１と、クリップ本体部４１１から水管９１の径方向の両側へ延伸する第１のメイン結合部４１２と第２のメイン結合部４１３とを備えるメインクリップキット４１と、メインクリップキット４１の反対側から水管９１を挟むように設けられると共に、両端に第１のメイン結合部４１２と第２のメイン結合部４１３とのそれぞれに嵌合する第１のサブ結合部４２２と第２のサブ結合部４２３とが形成されたサブクリップキット４２と、メインクリップキット４１を介して水管９１の内部まで貫通できるよう先端が尖ったセルフタッピングねじ５１と、セルフタッピングねじ５１の内部に画成された水通路５１６を有する導水部５と、導水部５を介して水管９１からの液体を霧状にして噴霧する噴霧ノズル６と、を備える。【選択図】図４
0003217961.tif 000002
【実用新案登録請求の範囲】
【請求項１】
延伸する水管からの液体を霧状にして噴霧する噴霧装置において、
前記水管を前記水管が延伸する方向とは直交する第１の方向から覆うように設けられるメインクリップキットと、
前記水管を介して前記メインクリップキットの反対側に位置し、前記メインクリップキットと結合可能なサブクリップキットと、
前記メインクリップキットを介して前記水管の内部まで貫通できるよう先端が尖ったセルフタッピングねじと、前記セルフタッピングねじの内部に画成された水通路を有する導水部と、
前記導水部を介して前記水管からの液体を霧状にして噴霧する噴霧ノズルと、
を備えることを特徴とする、噴霧装置。
【請求項２】
前記メインクリップキットは、前記水管を前記水管が延伸する方向とは直交する第１の方向から覆うように設けられるクリップ本体部と、前記クリップ本体部から前記水管の径方向の両側へ延伸する第１のメイン結合部と第２のメイン結合部とを備え、
前記サブクリップキットは、前記メインクリップキットの反対側から前記水管を挟むように設けられると共に、両端に前記第１のメイン結合部と前記第２のメイン結合部とのそれぞれに嵌合する第１のサブ結合部と第２のサブ結合部とが形成されている、
ことを特徴とする、請求項１に記載の噴霧装置。
【請求項３】
前記メインクリップキットの前記クリップ本体部は、前記水管の外周形状に沿うように形成されており、
前記メインクリップキットは、
前記クリップ本体部から前記第１の方向に突起した突起部を更に備え、
前記導水部の前記セルフタッピングねじは、前記クリップ本体部と前記突起部とを貫通してから、前記水管に孔を開けて前記水管の内部まで挿し込まれる、
ことを特徴とする、請求項２に記載の噴霧装置。
【請求項４】
前記導水部は、前記セルフタッピングねじの先端の反対側に位置し、前記水通路に連通する実装部を更に備え、
前記噴霧ノズルは、前記水通路から液体を受け入れることができるように、前記実装部に着脱可能に設けられる、
ことを特徴とする、請求項１または２に記載の噴霧装置。
【請求項５】
前記第１のメイン結合部と前記第２のメイン結合部とは、それぞれ前記第１のサブ結合部と前記第２のサブ結合部とに対して前記水管が延伸する方向へ相対的にスライドさせることによって嵌合することを特徴とする、請求項２に記載の噴霧装置。
【請求項６】
前記第１のサブ結合部と前記第２のサブ結合部とは、それぞれ前記水管が延伸する方向における一端から他端へかけて徐々に太さが増し、前記第１のメイン結合部と前記第２のメイン結合部とは、それぞれ前記クリップ本体部における前記水管の径方向の先端から、前記水管の管部へ折り返されるように延伸し、且つ前記第１のサブ結合部と前記第２のサブ結合部との太さにそれぞれ対応するように一端から他端へかけて徐々に径が太くなる溝が形成されている、
ことを特徴とする、請求項５に記載の噴霧装置。
【請求項７】
前記サブクリップキットには、前記水管の径方向へ延伸する一対の固定翼部が形成され、前記一対の固定翼部には、それぞれ前記噴霧装置を物体に固定するための取り付けねじがはめ込まれる長孔が形成されている、
ことを特徴とする、請求項２に記載の噴霧装置。
【請求項８】
前記メインクリップキットと前記サブクリップキットとの少なくともいずれか一方には、スライドさせる方向が記載された指示部が表示されていることを特徴とする、請求項５に記載の噴霧装置。
【請求項９】
延伸する水管からの液体を霧状にして噴霧する噴霧装置において、
前記水管の外表面にマウントできると共に、前記水管の外表面に当接する当接面と、前記当接面から前記水管が延伸する方向とは直交する方向へ延伸するねじ受け入れブロックと、を有する取り付けユニットと、
外側から前記取り付けユニットの前記ねじ受け入れブロックを介して前記水管の管内まで貫通できる尖ったねじ先と、前記ねじ先が前記水管の管内まで挿入されるとき、前記ねじ受け入れブロックの外側に露出し、且つ液体を霧状にする噴霧ノズルと、前記ねじ先から前記噴霧ノズルまで延伸する水通路と、を有するように中空状に形成されたセルフタッピングねじと、
を備え、
前記取り付けユニットが前記水管の外表面にマウントされ、且つ前記セルフタッピングねじの前記ねじ先が、前記取り付けユニットの前記ねじ受け入れブロックを介して前記水管の管内まで貫通すると、前記水管からの液体は前記水通路により案内されて前記噴霧ノズルにより霧状にされて噴霧される、
ことを特徴とする噴霧装置。
【考案の詳細な説明】
【技術分野】
【０００１】
本考案は液体を霧化して噴霧するための噴霧装置に関し、特に取り付けが簡単な噴霧装置に関する。
【背景技術】
【０００２】
図１は従来の噴霧装置の断面図である。水管９１は略縁環状に形成されている。水管９１の上側には管壁孔９１１が形成されている。
【０００３】
噴霧装置は、水管９１に沿って水管９１を外側から囲う外ケース７と、外ケース７に設けられ、液体を霧状にして噴霧するノズル８とを備えている。外ケース７は、水管９１の外面を上側から囲うメインクリップ７１と、下側から囲うサブクリップ７２とを備え、メインクリップ７１とサブクリップ７２は、水管９１から離れる方向へ延伸する固定翼部に形成された孔にねじ７３が差し込まれることにより固定される。
【０００４】
メインクリップ７１には、上下方向に貫通して水管９１に形成された管壁孔９１１と連通して水管９１内の液体が通過する貫通孔７１１が設けられている。ノズル８は貫通孔７１１に連通している。ここで、ノズル８は、外ケース７の外側へ突出しており、管壁孔９１１と貫通孔７１１を介して送られてきた液体を霧状にして噴霧することができる。
【０００５】
噴霧装置の取り付けは以下のように行なわれる。水管９１に対して、メインクリップ７１を上側から被せると共に、下側からサブクリップ７２を被せて水管９１を上下方向からそれぞれ挟み込む。その際、メインクリップ７１に形成された貫通孔７１１が丁度水管９１の管壁孔９１１と重なるように配置することにより、ノズル８までの水路が連通する。
【０００６】
メインクリップ７１とサブクリップ７２で水管９１を挟み込んだ後に、これらを固定するために、固定翼部に形成された孔にねじ７３を差し込んで固定する。そして、ノズル８の下側を、貫通孔７１１にねじ込むことにより、管壁孔９１１と貫通孔７１１を介して送られてきた水管９１内の水を、霧状にしてノズル８から噴霧することができる。
【考案の概要】
【考案が解決しようとする課題】
【０００７】
しかし、上述した方法では予め水管９１に管壁孔９１１を形成しておく必要がある。また、メインクリップ７１とサブクリップ７２を水管９１に対して位置を調整した後、これらの位置が再びずれないように手で押さえる必要がある。
【０００８】
そのため、最低でも片手がふさがってしまう。しかし、片手がふさがっている状態でねじ７３を締めるには熟練を要し、ねじ７３が小さいため、手から一度落としてしまうと見失う恐れもある。
【０００９】
本考案はこれらの問題に鑑みて、取り付けが簡単な噴霧装置を提供することを目的とする。
【課題を解決するための手段】
【００１０】
このような問題に鑑みて本考案の噴霧装置は以下の構成を備える。
【００１１】
延伸する水管（９１）からの液体を霧状にして噴霧する噴霧装置において、前記水管（９１）を前記水管（９１）が延伸する方向とは直交する第１の方向から覆うように設けられるメインクリップキット（４１）と、前記水管（９１）を介して前記メインクリップキット（４１）の反対側に位置し、前記メインクリップキット（４１）と結合可能なサブクリップキット（４２）と、前記メインクリップキット（４１）を介して前記水管（９１）の内部まで貫通できるよう先端が尖ったセルフタッピングねじ（５１）と、前記セルフタッピングねじ（５１）の内部に画成された水通路（５１６）を有する導水部（５）と、前記導水部（５）を介して前記水管（９１）からの液体を霧状にして噴霧する噴霧ノズル（６）と、を備える。
【考案の効果】
【００１２】
本考案は水管を貫くことができるセルフタッピングねじを介して噴霧ノズルを取り付けると共に、水管を挟むように互いに結合可能なメインクリップキットとサブクリップキットを備えるので、取り付けが簡単な噴霧装置を提供できる。
【図面の簡単な説明】
【００１３】
【図１】従来の噴霧装置の断面図である。
【図２】本考案の噴霧装置の第１の実施形態を示した斜視図である。
【図３】本考案の第１の実施形態の分解斜視図である。
【図４】本考案の第１の実施形態を示した断面図である。
【図５】図４のＶ−Ｖ断面図である。
【図６】図４のVI−VI断面図である。
【図７】本考案の第２の実施形態を示した断面図である。
【図８】本考案の第３の実施形態を示した斜視図である。
【考案を実施するための形態】
【００１４】
本考案の噴霧装置を図２〜図６を参照して説明する。ここで、図２は本考案の噴霧装置の第１の実施形態を示した斜視図であり、図３は本考案の第１の実施形態の分解斜視図であり、図４は本考案の第１の実施形態を示した断面図であり、図５は図４のＶ−Ｖ断面図であり、図６は図４のVI−VI断面図である。
【００１５】
図２に示す様に、本考案の噴霧装置は、広い範囲に渡って霧を撒くために、基本的には水平方向に延伸する水管９１からの液体を霧状にして噴霧するものであり、取り付けユニット４と、導水部５と、噴霧ノズル６とを備える。
【００１６】
取り付けユニット４は、メインクリップキット４１とサブクリップキット４２を備える。
【００１７】
メインクリップキット４１は、水管９１を水管９１が延伸する方向とは直交する第１の方向（即ち、図２において上側）から覆うように設けられるクリップ本体部４１１と、クリップ本体部４１１から水管９１の径方向（すなわち、図２において第１の方向及び水管９１の延伸方向のいずれにも直交する方向）の両側へ延伸する第１のメイン結合部４１２と第２のメイン結合部４１３とを備える。図２では、第１のメイン結合部４１２は手前側に位置し、第２のメイン結合部４１３は奥側に位置する。
【００１８】
サブクリップキット４２は、メインクリップキット４１の反対側（即ち、図２において下側）から水管９１を挟むように設けられると共に、両端に第１のメイン結合部４１２と第２のメイン結合部４１３とのそれぞれに嵌合する第１のサブ結合部４２２と第２のサブ結合部４２３が形成される。また、図３に示す様に、第１のサブ結合部４２２と第２のサブ結合部４２３は、管部９１を下から覆うように湾曲して形成されたサブクリップ本体部４２１によって接続される。
【００１９】
図４に示す様に、導水部５は、メインクリップキット４１を介して水管９１の内部まで貫通できるよう先端が尖ったセルフタッピングねじ５１を有し、セルフタッピングねじ５１の内部には水通路５１６が画成される。噴霧ノズル６は、導水部５を介して水管９１から流れる液体を霧状にして噴霧する。
【００２０】
次に、メインクリップキット４１について詳細に説明する。メインクリップキット４１のクリップ本体部４１１は、円環状に形成された水管９１の外周面に沿うように当接面４１７（図３、図４）が形成されている。
【００２１】
メインクリップキット４１は、クリップ本体部４１１から第１の方向、即ち図２において上方向に突起した略ブロック状の突起部４１５を更に備える。
【００２２】
導水部５のセルフタッピングねじ５１のねじ部５１２は、クリップ本体部４１１と突起部４１５に形成された貫通孔４１６を貫通してから、水管９１に孔を開けて水管９１の内部まで挿し込まれる。
【００２３】
なお、突起部４１５は、この考案において必ずしも必要ではないが、クリップ本体部４１１の厚さが足りないと、セルフタッピングねじ５１を締めた後にぐらつく場合があるので、図２の上側から、突起部４１５を介してセルフタッピングねじ５１を締めた場合、水管９１に至るまでの厚さを更に稼げ、安定性が増し、ぐらつきを軽減する効果がある。
【００２４】
次に、図３を参照してメインクリップキット４１とサブクリップキット４２の結合方法について説明する。第１のメイン結合部４１２と第２のメイン結合部４１３は、それぞれ第１のサブ結合部４２２と第２のサブ結合部４２３に対して、水管９１が延伸する方向へ相対的にスライドさせることによって嵌合する。
【００２５】
そのため、メインクリップキット４１とサブクリップキット４２の結合は、従来技術と異なり、ねじを必要としないので容易である。
【００２６】
また、図５に示す様に、第１のサブ結合部４２２と第２のサブ結合部４２３は、それぞれ水管９１が延伸する方向における一端から他端へかけて徐々に太さが増す。そのため、図５のように、第１の端部４２７の幅Ｗ２の長さよりも第２の端部４２８の幅Ｗ１の長さの方が長い。同様に、図６に示す様に、第１のサブ結合部４２２及び第２のサブ結合部４２３（角度の関係で表示せず）は、高さ方向においても、一端から他端へかけて徐々に太さが増す。そのため、図６のように、第１の端部４２７の長さＨ２よりも第２の端部４２８の長さＨ１の方が長い。
【００２７】
また、第１のメイン結合部４１２と第２のメイン結合部４１３は、図４に示す様に、それぞれがクリップ本体部４１１から延伸する先端から、それぞれ管部９１へ向かうように折り返され、この折り返しにより内側に、第１のサブ結合部４２２と第２のサブ結合部４２３を挿入するスライド嵌合溝４１８が形成される。この溝は、図６に示す様に、第１のサブ結合部４２２と第２のサブ結合部４２３の太さにそれぞれ対応するように第１の端部４２７から第２の端部４２８へかけて徐々に径が太くなるよう形成されている。
【００２８】
このため、メインクリップキット４１とサブクリップキット４２を相対的にスライドさせて両者を結合したときに、太さが異なるので、奥へ押し込むほど（両者の接触面積が広い程）摩擦が強くなり結合強度が増し、スライドさせる幅が長すぎて両者の結合が再び外れてしまうことを防止できる。
【００２９】
次に、図７を参照して本考案の第２の実施形態について説明する。ここで、図７は本考案の第２の実施形態を説明する断面図である。
【００３０】
第２の実施形態において導水部５は、セルフタッピングネジ５１に加えて、セルフタッピングねじ５１の先端の反対側（ヘッド側）に位置し、水通路５１６に連通すると共に、雌ねじが切られた実装部５２を更に備える。噴霧ノズル６は雄ねじが切られたスクリュー部６１を有し、水通路５１６から液体を受け入れることができるように、実装部５２に着脱可能に設けられる。
【００３１】
このように、第２の実施形態では、実装部５２を設けたので、ユーザは必要に応じて噴霧ノズル６を実装部５２から取り外し、市販の３方向ノズル等の市販の噴霧ノズルを接続することができる。このため、例えば噴霧ノズル６が目詰まりしてもセルフタッピングねじ５１はそのままで噴霧ノズル６のみを交換すれば足りる。
【００３２】
次に、図８を参照して本考案の第３の実施形態について説明する。ここで、図８は本考案の第３の実施形態を説明する斜視図である。
【００３３】
サブクリップキット４２には水管９１の径方向へ延伸する一対の固定翼部４２４が形成され、一対の固定翼部４２４にはそれぞれ噴霧装置を物体９３に固定するための取り付けねじ９２がはめ込まれる長孔４２６が形成されている。
【００３４】
また、メインクリップキット４１とサブクリップキット４２には、それぞれスライドさせる方向が記載されたメイン指示部４１４と、サブ指示部４２５が表示されている。
【００３５】
第３の実施形態によれば、メイン指示部４１４とサブ指示部４２５が指し示す方向へスライドさせれば、メインクリップキット４１とサブクリップキット４２を結合できるので、取り付けがより容易である。
【００３６】
更に、本考案による噴霧装置は必ずしもメインクリップキット４１とサブクリップキット４２とに分かれる必要はなく、弾性変形可能な「Ｃ字型」のクリップキットを水管９１に対して押し付けることによって、水管９１の外側を囲い、水管９１に対して取り付けユニット４を結合しても良い。
【００３７】
図４に示す様に、取り付けユニット４は、水管９１の外表面にマウントできると共に、水管９１の外表面に当接する当接面４１７と、当接面４１７から水管９１が延伸する方向とは直交する方向へ延伸するねじ受け入れブロック（クリップ本体部４１１と突起部４１５から形成される）とを有する。
【００３８】
また、セルフタッピングねじ５１は、外側から取り付けユニット４のねじ受け入れブロックを介して水管９１の管内まで貫通できる尖ったねじ先５１１と、ねじ先５１１が水管９１の管内まで挿入される際、ねじ受け入れブロックの外側に露出し、且つ液体を霧状にする噴霧ノズル６と、ねじ先５１１から噴霧ノズル６まで延伸する水通路５１６と、を有するように中空状に形成される。
【００３９】
そして、噴霧装置は、取り付けユニット４が水管９１の外表面にマウントされ、且つセルフタッピングねじ５１のねじ先５１１が、取り付けユニット４のねじ受け入れブロックを介して水管９１の管内まで貫通すると、水管９１からの液体は水通路５１６により案内されて噴霧ノズル６により霧状にされて噴霧される。
【００４０】
このように、上記実施形態において、噴霧装置は、クリップ本体部４１１と、クリップ本体部４１１から水管９１の径方向の両側へ延伸する第１のメイン結合部４１２と第２のメイン結合部４１３とを備えるメインクリップキット４１と、メインクリップキット４１の反対側から水管９１を挟むように設けられると共に、両端に第１のメイン結合部４１２と第２のメイン結合部４１３とのそれぞれに嵌合する第１のサブ結合部４２２と第２のサブ結合部４２３とが形成されたサブクリップキット４２と、メインクリップキット４１を介して水管９１の内部まで貫通できるよう先端が尖ったセルフタッピングねじ５１と、セルフタッピングねじ５１の内部に画成された水通路５１６を有する導水部５と、導水部５を介して水管９１からの液体を霧状にして噴霧する噴霧ノズル６とを備えるので、液体を霧化して噴霧することができ、且つ液体を運ぶ水管に対する取り付けが簡単である。
【００４１】
なお、本実施形態では、貫通孔４１６は、セルフタッピングねじ５１のねじ部５１２を、ねじ止めするためのねじ孔であるが、ねじ部５１２をねじ止めできれば足りるので、このねじ孔をねじ山に変更してもよい。 また、本実施形態では、セルフタッピングねじ５１の機能を利用して、ねじ部５１２を、貫通孔４１６の内周面に直接タップしてねじ止めを行う。
【００４２】
以上の説明は、本考案の実施例に過ぎず、これを以って本実用新案登録請求の範囲を限定するものではない。また、本考案の実用新案請求の範囲及び明細書の内容に簡単な付加や変化を加えたに過ぎないものについても、実用新案登録請求の範囲に記載された考案の技術的範囲に属するものとする。
【符号の説明】
【００４３】
４      取り付けユニット
４１    メインクリップキット
４１１  クリップ本体部
４１２  第1のメイン結合部
４１３  第２のメイン結合部
４１４  メイン指示部
４１５  突起部
４１６  貫通孔
４１７  当接面
４１８  スライド嵌合溝
４２    サブクリップキット
４２１  サブクリップ部
４２２  第1のサブ結合部
４２３  第２のサブ結合部
４２４  固定翼部
４２５  サブ指示部
４２６  長孔
４２７  第１の端部
４２８  第２の端部
５      導水部
５１    セルフタッピングねじ
５１１  ねじ先
５１２  ねじ部
５１６  水通路
５２    実装部
６      噴霧ノズル
６１    スクリュー部
９１    水管
９２    取り付けねじ
９３    物体
【図１】
0003217961.tif 000003
【図２】
0003217961.tif 000004
【図３】
0003217961.tif 000005
【図４】
0003217961.tif 000006
【図５】
0003217961.tif 000007
【図６】
0003217961.tif 000008
【図７】
0003217961.tif 000009
【図８】
0003217961.tif 000010